(57)【要約】【課題】パッティングストロークの強さ、すなわち距離感の把握をすることができ、携帯性に優れ、グリーンフォークとしても使用可能なゴルフパター練習具を提供する。【解決手段】本考案のゴルフパター練習具１は、地面に差し込む差込部１３と、差し込む高さを調整する突起部１４を有する二枚のプレートを、折り畳み部１７で回転自在に接合し、折り畳み部１７で折り畳んだときに二枚のプレートを一体とするための接合手段を備えたことを特徴とする。【選択図】図１
0003193933.tif 000002
【実用新案登録請求の範囲】
【請求項１】
地面に差し込む差込部と、差し込む高さを調整する突起部を有する二枚のプレートを、折り畳み部で回転自在に接合したゴルフパター練習具であって、前記折り畳み部で折り畳んだときに前記二枚のプレートを一体とするための接合手段を備えたことを特徴とするゴルフパター練習具。
【請求項２】
前記接合手段がマグネットであることを特徴とする請求項１に記載のゴルフパター練習具。
【請求項３】
前記二枚のプレートが折り畳み部で接着テープにより接合されていることを特徴とする請求項１〜２の何れかに記載のゴルフパター練習具。
【請求項４】
前記二枚のプレートが折り畳み部で蝶番により接合されていることを特徴とする請求項１〜３の何れかに記載のゴルフパター練習具。
【請求項５】
前記二枚のプレートを開いた状態で前記差込部を地面に差し込んだ際に形成される開口部の地面接地部の間隔がゴルフカップの直径からゴルフボールの直径を減じた長さよりも小さく、かつ開口部の地面接地部の曲率半径がゴルフボールの曲率半径よりも大きくなることを特徴とする請求項１〜４の何れかに記載のゴルフパター練習具。
【考案の詳細な説明】
【技術分野】
【０００１】
この考案は、グリーンフォークとしても使用できる携帯型のゴルフパター練習具に関する。
【背景技術】
【０００２】
一般に、ゴルフ場に設けられたゴルフパター練習場において、コース内の本グリーンと同様のカップを切り、ポールを立て、プレーヤーは、そのカップを目掛けてパッティング練習を行なっている。
【０００３】
しかしながら、練習グリーンにカップを切るためには、多大な手間がかかり、また多くのプレーヤーで賑わうパター練習グリーンでは設備数に限りがあるため、一人一人のプレーヤーの利用時間が制限され、十分に練習することができない。また、カップのまわりにボールが集まり、他人のボールを間違って取り違えるなどのトラブルの発生が多いなどの不都合がある。
【０００４】
そこで、グリーンフォークに一対のアームを連結し、グリーンフォークを練習グリーンの任意の位置に差し込み、アームを広げるパッティングターゲットが提案されている（例えば、特許文献１参照）。
【先行技術文献】
【特許文献】
【０００５】
【特許文献１】実開平３−１１６８６３号公報
【考案の概要】
【考案が解決しようとする課題】
【０００６】
しかしながら、特許文献１のパッティングターゲットでは、ターゲットの中央部のグリーンフォークが練習グリーンに突き刺さっているため、中央部を通過したゴルフボールがグリーンフォークに衝突する。そのため、パッティングしたボールが、どれだけオーバーランする強さでストロークされたかの判別ができないのでパッティングの距離感を練習することができないという問題点があった。
【０００７】
そこで、この考案は、パッティングストロークの強さ、すなわち距離感の把握をすることができ、携帯性に優れ、グリーンフォークとしても使用可能なゴルフパター練習具を提供することを目的とする。
【課題を解決するための手段】
【０００８】
上記目的を達成するために、本考案のゴルフパター練習具は、地面に差し込む差込部と、差し込む高さを調整する突起部を有する二枚のプレートを、折り畳み部で回転自在に接合したゴルフパター練習具であって、折り畳み部で折り畳んだときに二枚のプレートを一体とするための接合手段を備えたことを特徴とする。
上述のゴルフパター練習具は、接合手段がマグネットであることを特徴とする。
上述のゴルフパター練習具は、二枚のプレートが折り畳み部で接着テープにより接合されていることを特徴とする。
上述のゴルフパター練習具は、二枚のプレートが折り畳み部で蝶番により接合されていることを特徴とする。
上述のゴルフパター練習具は、二枚のプレートを開いた状態で差込部を地面に差し込んだ際に形成される開口部の地面接地部の間隔がゴルフカップの直径からゴルフボールの直径を減じた長さよりも小さく、かつ開口部の地面接地部の曲率半径がゴルフボールの曲率半径よりも大きくなることを特徴とする。
【考案の効果】
【０００９】
本考案のゴルフパター練習具は、折り畳むことができるので携帯性に優れ、練習グリーンの任意の位置において使用できる。さらに、ゴルフパター練習具は、折り畳むことにより、グリーンフォークとしても使用可能である。
【図面の簡単な説明】
【００１０】
【図１】図１は、実施例１に係るゴルフパター練習具の斜視図である。
【図２】図２は、実施例１に係るゴルフパター練習具の平面図である。
【図３】図３は、図２におけるＡ−Ａ線断面図である。
【図４】図４は、実施例１に係るゴルフパター練習具の使用状態を示す図である。
【図５】図５は、実施例１に係るゴルフパター練習具を折り畳んだ状態を示す斜視図である。
【図６】図６は、実施例１に係るゴルフパター練習具を折り畳んだ状態を示す平面図である。
【図７】図７は、実施例１に係るゴルフパター練習具を折り畳み、グリーンフォークとして使用する状態を示す図である。
【図８】図８は、実施例１に係るゴルフパター練習具を折り畳み、パターカバーとともに使用する状態を示した図である。
【図９】図９は、実施例２に係るゴルフパター練習具の平面図である。
【図１０】図１０は、図９におけるＢ−Ｂ線断面図である。
【図１１】図１１は、実施例２に係るゴルフパター練習具を折り畳んだ状態を示す平面図である。
【考案を実施するための形態】
【００１１】
以下、この考案について実施例に基づいてより詳細に説明する。なお、この考案の実用新案登録請求の範囲は、以下の実施例によって如何なる意味においても制限されない。
【実施例１】
【００１２】
図１は、実施例１に係るゴルフパター練習具１の斜視図である。また、図２は、同ゴルフパター練習具１の平面図である。図１及び図２に示すように、本実施例に係るゴルフパター練習具１は、第１のプレート１１と第２のプレート１２から構成されている。第１のプレート１１と第２のプレート１２は、折り畳み部１７で回転自在に接合部１６により接合されている。第１のプレート１１と第２のプレート１２の表面上には、マグネット１５が配置され、ゴルフパター練習具１を折り畳み部１７で折り畳んだ際に互いに重なるようになっている。
【００１３】
ゴルフパター練習具１を構成する第１のプレート１１及び第２のプレート１２の差込部１３は、ゴルフパター練習具１が地面に差し込みやすいように先端が先細のテーパ状に形成されており、後端には、差し込み高さを制限する突起部１４が形成されている。これにより、ゴルフパター練習具１は、差込部１３の先端から突起部１４までの高さ部分が地面に突き刺さることになる。
【００１４】
この第１のプレート１１及び第２のプレート１２は、硬質性樹脂から形成されており、硬質性樹脂としては、エチレン、プロピレン、塩化ビニル、スチレン、アミド等の重合体の熱可塑性樹脂や、メラミン樹脂、フェノール樹脂、アクリル樹脂、ＰＥＴ等の熱硬化性樹脂等などが挙げられる。
【００１５】
また、マグネット１５は、ゴルフパター練習具１を折り畳み部１７で折り畳んだ際に第１のプレート１１と第２のプレート１２が接合される磁力を有していればよく、その形状は、略四角形であっても略円形であっても構わない。
【００１６】
また、マグネット１５としては、より具体的には永久磁石を使用するが、例えばアルニコ磁石、フェライト磁石、希土類磁石等を用いることができ、特にフェライト磁石が好ましい。
【００１７】
また、ゴルフパター練習具１の第１のプレート１１および第２のプレート１２の上部には、貫通孔１８が形成されており、ゴルフパター練習具１を折り畳み部１７で折り畳んだ際に貫通孔１８が互いに重なるように配置されている。
【００１８】
図３は、図２のＡ−Ａ線断面図である。図３に示すように、第１のプレート１１と第２のプレート１２は、折り畳み部１７において回転自在に接合されており、折り畳み部１７上には接合部１６が設置されている。接合部１６は、折り畳み部１７で第１のプレート１１と第２のプレート１２を折り畳み、それぞれのプレート上に載置したマグネット１５が互いに接合できる位置まで折り畳めるような可撓性があればよい。接合部１６の材料としては、樹脂テープを用いてもよく、熱硬化性樹脂や熱可塑性樹脂を含浸させたクロスシートを用いてもよい。
【００１９】
図４は、実施例１に係るゴルフパター練習具１の使用状態を示す図である。ゴルフパター練習具１の第１のプレート１１と第２のプレート１２を広げた状態で、第１のプレート１１の差込部１３と第２のプレート１２の差込部１３とを地面に差し込むと、第１のプレート１１と第２のプレート１２で開口部４１が形成される。差込部１３の上端には、突起部１４が形成せれているので突起部１４が地面に当たり、差込部１３の高さが制限される。プレーヤーは、この開口部４１を目掛けてゴルフボールをパターで転がし、開口部４１を通過させるように練習する。ここで、この開口部４１の地面に接する部分の間隔は、ゴルフカップの直径からゴルフボールの直径を減じた長さより小さくしてある。具体体には、開口部４１の地面に接する部分の間隔を６５．３３ｍｍより小さくしてある。これは、ゴルフカップの直径が１０８ｍｍであり、ゴルフボールの直径が４２．６７ｍｍ以上であるので、ゴルフボールの外形がゴルフカップの内径と一致するためには、ゴルフカップの外形からゴルフボールの直径を減じた６５．３３ｍｍ以下となる。よって、開口部４１の地面に接する部分の間隔を６５．３３ｍｍより小さくし、開口部４１の地面接地部の曲率半径をゴルフボールの曲率半径より大きくすることで、いわゆるゴルフカップの内側一杯の方向にパッティングストロークをする練習ができ、パッティングストロークの精度向上が図れる。
【００２０】
図５は、実施例１に係るゴルフパター練習具１を折り畳み部１７から折り畳み、第１のプレート１１と第２のプレート１２とをマグネット１５を用いて接合した状態を示す斜視図である。図６は、同ゴルフパター練習具１の平面図である。図５および図６に示すように、第１のプレート１１および第２のプレート１２に形成された差込部１３、突起部１４および貫通孔１８は互いに重なっている。
【００２１】
図７は、実施例１に係るゴルフパター練習具１を折り畳み部１７から折り畳み、グリーンフォークとして使用する場合の状態を示す図である。ゴルフ競技において、ボールをグリーンに落下させた場合にグリーン上にピッチマーク７１と呼ばれるボール跡が残る。他のプレーヤーのパッティングの障害とならないように、このピッチマーク７１を平坦に修復することは、ゴルフ競技のエチケットとして重要なことである。そこでゴルフパター練習具１を折り畳んだ状態で差込部１３を地面に差し込み、ピッチマーク７１の中心部に芝を掻き寄せ、上からパターで均すことでピッチマーク７１を平坦にすることができる。
【００２２】
図８は、実施例１に係るゴルフパター練習具１を折り畳み部１７から折り畳み、パターカバー８０に係合した場合の状態を示す図である。図６に示すように、第１のプレート１１の貫通孔１８と第２のプレート１２の貫通孔１８とは互いに重なっているので、連結部材８１を挿入することができ、結合部８２を介してパターカバー８０に接合することができる。これにより、パターカバー８０にグリーンフォークとして使用できるゴルフパター練習具１を常時保持しているので、グリーン上のピッチマーク７１を修復し忘れることを防止できる。
【実施例２】
【００２３】
図９は、実施例２に係るゴルフパター練習具２の平面図である。また、図１０は、図９のＢ−Ｂ線断面図である。図９に示すように、実施例２に係るゴルフパター練習具２は、練習グリーンに差し込む差込部９３と、差し込む高さを制限する突起部９４とを備えた第１のプレート９１と、差込部９５と、突起部９６を備えた第２のプレート９２から構成されている。第１のプレート９１と、第２のプレート９２は、折り畳み部９８で回転自在に接合部９９により接合されている。また、第１のプレート９１には、マグネット９７が、その表面が第１のプレートの表面と同一平面になるように埋設されている。ゴルフパター練習具２を折り畳み部９８で折り畳んだ際にマグネット９７が第２のプレート９２の表面と接することにより、マグネット９７の磁力で第１のプレート９１と第２のプレート９２とは接合される。
【００２４】
ゴルフパター練習具２を構成する二枚のプレートは、金属から形成されており、その材料としては、例えば、強磁性体である純鉄・軟鋼、ケイ素鉄、Fe-Ni合金、Fe-Co合金、Fe-Cr合金、フェライト、センダスト等を用いることができ、特に純鉄・軟鋼が好ましい。
【００２５】
接合部９９は、例えば、蝶番からなり、二枚のプレートは、折り畳み部９８で回転自在に接合されている。また、第１のプレート９１の差込部９３と第２のプレート９２の差込部９５は、折り畳み部９８に対して非対称に配置されている。
【００２６】
図１１は、実施例２に係るゴルフパター練習具２を折り畳んだ状態を示す図である。図１１に示すように、第１のプレート９１の差込部９３と第２のプレート９２の差込部９５は、互いに重ならない。よって第１のプレート９１と第２のプレート９２がマグネット９７により接合されていても、差込部９３と差込部９５を把持して引き離すことにより、第１のプレート９１と第２のプレート９２を容易に分離することができる。
【００２７】
なお、上述した実施例１及び２では、ゴルフパター練習具１を折り畳み部１７で折り畳んだ際に、２枚のプレート１１を接合する接合手段として磁力による接合手段について説明したが、他の手段によってもよい。例えば、一方のプレートの表面に取り付けたマジックテープ（登録商標）と組になるようなマジックテープ（登録商標）を他方のプレートの表面上に設けることで２枚のプレートを接合してもよい。
【００２８】
また、一方のプレートの表面に嵌合凸部を形成しておき、他方のプレートの表面に嵌合凹部を形成しておき、弾性的にこじ開けることにより挿入および取り出しを行ってもよい。
【産業上の利用可能性】
【００２９】
本考案のゴルフパター練習具は、折り畳むことができるので携帯性に優れ、練習グリーンの任意の位置において使用できる。さらに、本ゴルフパター練習具は、折り畳むことにより、グリーンフォークとしても使用可能である。
【符号の説明】
【００３０】
１、２    ゴルフパター練習具
１１、９１    第１のプレート
１２、９２    第２のプレート
１３、９３、９５    差込部
１４、９４、９６    突起部
１５、９７    マグネット                                                       
１６、９９    接合部
１７、９８    折り畳み部
１８    貫通孔
７１    ピッチマーク
８０    パターカバー
８１    連結部材
８２    結合部
【図１】
0003193933.tif 000003
【図２】
0003193933.tif 000004
【図３】
0003193933.tif 000005
【図４】
0003193933.tif 000006
【図５】
0003193933.tif 000007
【図６】
0003193933.tif 000008
【図７】
0003193933.tif 000009
【図８】
0003193933.tif 000010
【図９】
0003193933.tif 000011
【図１０】
0003193933.tif 000012
【図１１】
0003193933.tif 000013
【手続補正書】
【提出日】平成26年8月22日(2014.8.22)
【手続補正１】
【補正対象書類名】実用新案登録請求の範囲
【補正対象項目名】請求項４
【補正方法】変更
【補正の内容】
【請求項４】
前記二枚のプレートが折り畳み部で蝶番により接合されていることを特徴とする請求項１〜２の何れかに記載のゴルフパター練習具。